(57)【要約】【課題】  店舗全体の経営効率を大幅に向上させることを可能とする。【解決手段】  顧客の携帯電話１を通して送信される電子メール情報に基づいて顧客に関する情報を取得するとともに、セキュリティーコードに基づいて商品３を抽出し、その商品３を顧客に関連付けることによって、電子情報処理装置２に対する商品登録を顧客自身の携帯電話１を通して行うこととし、店舗側における登録作業を省略するとともに、その商品登録にあたって、顧客自身にしか提示されないセキュリティーコードを入力することにより第三者による外部からの不当な登録行為を確実に防止して、商品３の管理システムによる管理を効率的かつ安全に行うように構成したもの。【選択図】        図１
2005157749.tif 000002
【特許請求の範囲】
【請求項１】
顧客の携帯電話を通して送信される電子メールを電子情報処理装置により受信し、その受信した電子メール情報に基づいて、前記顧客と、当該顧客が所有する商品との関係を登録し又は管理するものであって、
前記電子情報処理装置は、
予め、全ての商品ごとに与えられたシリアル番号に対応して、ランダムかつ重複しないセキュリティーコードを一意に付与して出力する商品暗号化手段と、
その商品暗号化手段によって出力されたセキュリティーコードを参照しながら前記顧客が携帯電話に入力して送信した電子メールから、そのメールアドレス情報を取り込んで、当該顧客に関する情報を取得する顧客識別手段と、
前記顧客の電子メールに入力されて読み出された前記セキュリティーコードに基づいて、そのセキュリティーコードに対応する商品を抽出し、当該商品を前記顧客に関連付ける商品登録手段と、
を有していることを特徴とする商品登録システム。
【請求項２】
前記電子情報処理手段が、前記商品を取り扱う店舗内に設置された内部コンピュータであって、
前記顧客からの電子メールが、上記内部コンピュータ、またはその内部コンピュータにインターネット接続された仲介サーバに付与されたメールアドレスに対して送信される構成になされていることを特徴とする請求項１記載の商品登録システム。
【請求項３】
前記電子情報処理手段が、前記商品を取り扱う店舗内に設置された内部コンピュータに対してインターネットを介して接続された外部サーバであって、
前記顧客からの電子メールが、上記外部サーバに付与されたメールアドレスに対して送信されるように構成されていることを特徴とする請求項１記載の商品登録システム。
【請求項４】
前記電子情報処理手段は、前記顧客識別手段により識別された顧客のうちから、ランダムに当選者を抽出し、その当選者に該当する顧客に対して、当選した旨を電子メールにより通知する当選者選定手段を備えていることを特徴とする請求項１記載の商品登録システム。
【発明の詳細な説明】
【技術分野】
【０００１】
本発明は、顧客が携帯電話を通して送信した電子メール情報に基づいて商品を登録し又は管理するように構成された商品登録システムに関する。
【背景技術】
【０００２】
一般に、各種店舗において、商品の管理システムを導入することにより、店舗内で扱う商品を特定の顧客の所有物として登録して管理することがある。例えば、飲食店において顧客が好みのボトルをキープしておいたり、ゲームセンターでゲーム後に残されたコインを預かっておくなどであり、いずれも登録した商品に有効期限を設けて保管しておくなどの管理が行われ、有効期限内であれば登録した商品を店舗内で自由に使用することができるようにしたものである。
【発明の開示】
【発明が解決しようとする課題】
【０００３】
しかしながら、このように商品の登録を一旦しておけば、顧客及び店舗側の双方にとって都合良く効率的に管理することができるが、その反面、膨大な数の顧客及び商品ごとに店舗側が一々登録するには多大の労力を要することとなり、それが店舗全体の経営効率がかえって低下させてしまうおそれもある。
【０００４】
そこで本発明は、商品の管理システムによる管理を行うにあたって、店舗全体の経営効率を、安全性を維持しながら実質的に向上させることができるようにした商品登録システムを提供することを目的とする。
【課題を解決するための手段】
【０００５】
上記目的を達成するため本発明にかかる商品登録システムでは、顧客の携帯電話を通して送信される電子メールを電子情報処理装置により受信し、その受信した電子メール情報に基づいて、前記顧客と、当該顧客が所有する商品との関係を登録し又は管理するものであって、前記電子情報処理装置は、予め、全ての商品ごとに与えられたシリアル番号に対応して、ランダムかつ重複しないセキュリティーコードを一意に付与して出力する商品暗号化手段と、その商品暗号化手段によって出力されたセキュリティーコードを参照しながら前記顧客が携帯電話に入力して送信した電子メールから、そのメールアドレス情報を取り込んで、当該顧客に関する情報を取得する顧客識別手段と、前記顧客の電子メールに入力されて読み出された前記セキュリティーコードに基づいて、そのセキュリティーコードに対応する商品を抽出し、当該商品を前記顧客に関連付ける商品登録手段とを有している。
【０００６】
このような構成を有する請求項１にかかる商品登録システムによれば、電子情報処理装置に対する商品登録が、顧客自身の携帯電話を通して行われるため、店舗側における登録作業が省略されることとなって商品の登録が効率的に行われるとともに、顧客自身にしか提示されないセキュリティーコードを入力することによって商品登録が行われるため、第三者による外部からの不当な登録行為が確実に防止されるようになっている。
【発明の効果】
【０００７】
このように本発明にかかる商品登録システムは、顧客の携帯電話を通して送信される電子メール情報に基づいて顧客に関する情報を取得するとともに、セキュリティーコードに基づいて商品を抽出し、その商品を顧客に関連付けることによって、電子情報処理装置に対する商品登録を顧客自身の携帯電話を通して行うこととし、店舗側における登録作業を省略して商品の管理システムによる管理を効率的かつ円滑に行うとともに、その商品登録にあたっては、顧客自身にしか提示されないセキュリティーコードを入力することにより第三者による外部からの不当な登録行為を確実に防止するように構成したものであるから、店舗全体の経営効率を、安全性を維持しながら大幅に向上させることができる。
【発明を実施するための最良の形態】
【０００８】
以下、飲食店舗内で取り扱うキープボトルを商品に本発明を適用した場合の一実施形態を図面に基づいて説明する。
【０００９】
まず、図１に示されている実施形態における商品登録システムは、顧客が所有する携帯電話１を通して送信される電子メールを、電子情報処理装置を構成するシステムサーバ２により受信し、その受信した電子メールから取り出された各種情報に基づいて、前記顧客が所有する商品としてのキープボトル３と、その顧客との関係を登録し又は有効期限等を管理するように構成されている。
【００１０】
このとき、上述したシステムサーバ２は、飲食店舗の内部に設置された内部コンピュータにより構成しても良いし、或いは、その飲食店舗の内部コンピュータにインターネット接続された仲介サーバにより構成しても良いものであるが、このシステムサーバ２には、まず、商品としての各キープボトル３の一本一本ごとに、互いに重複しない「セキュリティーコード」を付与する商品暗号化手段２ａが設けられている。
【００１１】
すなわち、商品としての全てのキープボトル３の一本一本には、相互に重複しない「シリアル番号」が前もって付けられており（図２のステップ１参照）、それらのシリアル番号に対応して、上記商品暗号化手段２ａにおいて、ランダムかつ重複しない「セキュリティーコード」が一意に設定される（図２のステップ２参照）。そして、その設定された「セキュリティーコード」は、上述した「シリアル番号」とともに、適宜の出力装置（プリンタ）２ｅを通して商品カード４に印字されることにより出力される。それらの各商品カード４は、例えば図３に示されているように、各ボトルにぶら下げられたり、貼り付けられることなどによって、各キープボトル３に対して予め装着された状態にさなれる。
【００１２】
これらの各キープボトル３ごとに装着された商品カード４は、店舗内に来店した顧客の要求に応じて提供されたキープボトル３と一体に顧客に提示されることとなる。そして、その商品カード４が装着されたキープボトル３を提供された顧客は、そのキープボトル３に対して、従来のようにマジックペン等により直接的に自分の名前等を記入する替わりに、自己の所有する携帯電話１を利用して、上述した商品カード４を通して特定の顧客のみに提示された「セキュリティーコード」を参照しながら、自分の携帯電話１の電子メールの「件名欄」に、上述した「セキュリティーコード」を入力する。この顧客による入力操作は、外部の第三者には秘密の状態で行われることとなる。また、その電子メールの「内容（メッセージ）欄」には、自分の「名前」や「愛称」などを適宜に入力する。
【００１３】
このようにして顧客の携帯電話１に入力された電子メールは、上述したシステムサーバ２に設定されたメールアドレス（例えばｔｄｔｄ．ｊｐなど）に対して送信される（図２のステップ３）。そして、そのシステムサーバ２内に設けられた顧客識別手段２ｂにおいては、上述した顧客により送信された電子メールから、その電子メールのメールアドレス情報が取り込まれ、当該メールアドレス情報から、送信者である顧客に関する情報が取得される（図３ステップ４参照）。
【００１４】
次いで、前記システムサーバ２内に設けられた商品登録手段２ｃでは、上述した顧客からの電子メールに入力された「セキュリティーコード」が読み出され、その「セキュリティーコード」に対応した特定の商品としてのキープボトル３が抽出される。そして、その抽出された商品としてのキープボトル３は、電子メールの送信者である顧客に関連付けられて登録が行われる（図３ステップ５参照）。
【００１５】
このようにして特定の顧客と、商品としてのキープボトル３との関係が登録されると、そのキープボトル３の基本登録情報に基づいて、商品管理手段２ｄにおいて、キープボトルの有効期限などが管理される。そして、その管理結果は、顧客の携帯電話に対して当該顧客からの要望、又は店舗側の判断で情報提供される（図３ステップ６参照）。
【００１６】
このように本実施形態によれば、電子情報処理装置としてのシステムサーバ２に対する商品登録が、顧客自身の携帯電話を通して行われるため、店舗側における登録作業が省略されることとなって商品の登録が効率的に行われるようになっている。
【００１７】
また、そのときの商品登録は、顧客自身にしか提示されない「セキュリティーコード」を入力することによって行われるため、第三者による外部からの不当な登録行為が確実に防止されることとなる。
【００１８】
このとき前述したシステムサーバ２には、前記顧客識別手段２ｂにより識別された顧客から当選者を選ぶ「当選者選定手段」を設けることもできる。この当選者選定手段は、上述した顧客識別手段２ｂにより識別された顧客を適宜の順番に並べておく一方、定期的に当選番号をランダムに変更しながら、その当選番号に該当する顧客を抽出し、そのときの当選者をランダムに選択する機能を有するものであって、その当選者に該当する顧客に対しては、当選した旨を、当選番号などとともに電子メールにより通知するように構成されている。
このような「当選者選定手段」を設けておけば、顧客による携帯電話への入力操作が、より積極的に行われることとなる。
【００１９】
以上、本発明者によってなされた発明を実施形態に基づいて具体的に説明したが、本発明は上記実施形態に限定されるものではなく、その要旨を逸脱しない範囲で種々変形可能であるというのは言うまでもない。
【００２０】
例えば、上述した実施形態は、商品としてキープボトルを扱う場合に適用したものであるが、ゲームセンターで取り扱うコインを保管しておくなどの多種多様な商品を取り扱う場合においても同様に適用することができる。
【産業上の利用可能性】
【００２１】
以上述べた本発明にかかる商品登録システムは、キープボトルを取り扱う飲食店をはじめとして、コインを取り扱うゲームセンターなどの多種多様な店舗において広く採用することが可能である。
【図面の簡単な説明】
【００２２】
【図１】本発明をキープボトルを取り扱う飲食店に適用した場合における商品登録システムの一実施形態を表したブロック図である。
【図２】図１に示された商品登録システムによる商品登録手順を表したフロー図である。
【図３】商品としてのキープボトルと、そのキープボトルに商品カードを装着した状態を表した正面説明図である。
【符号の説明】
【００２３】
１  携帯電話
２  システムサーバ（電子情報処理装置）
２ａ  商品暗号化手段
２ｂ  顧客識別手段
２ｃ  商品登録手段
２ｄ  商品管理手段
３  キープボトル（商品）
４  商品カード
【図１】
2005157749.tif 000003
【図２】
2005157749.tif 000004
【図３】
2005157749.tif 000005